(57)【要約】【課題】  貴金属を実装した非接触ＩＣカード型景品１において、貴金属のみを取り出して別の物と交換しようとする偽造を防止する。【解決手段】  貴金属７を実装したカード型景品１において、貴金属７を取り出して別の物と交換しようとする場合、貴金属を取り出そうとするときに非接触ＩＣ回路を構成するアンテナ９を破壊することになり、外部との通信が不可能になる。カード型景品１から景品情報を読取ることができないことで、異常景品と判定し、偽造品または変造品の疑いがあるものとして処理することが可能である。【選択図】  図１
2006209226.tif 000002
【特許請求の範囲】
【請求項１】
非接触ＩＣを利用した非接触ＩＣカード製品において、
カードに貴金属等を実装し、該貴金属等が正常に実装されている場合に非接触ＩＣの通信機能が正常に動作し、該貴金属等を強制的に取り外した場合、非接触ＩＣの回路の一部が破壊され、通信機能を不能にする構造としたことを特徴とする非接触ＩＣカード製品。
【請求項２】
非接触ＩＣカードの特定エリアに記憶された製品種別を示す情報に対応したバーコードを表面部に印刷し、非接触ＩＣカードの特定エリアに記憶された情報がバーコードでも判別できるようにした請求項１記載の非接触ＩＣカード製品。
【請求項３】
前記製品種別を示すバーコードを表裏に印刷し、該バーコードを機械で自動的に読取る場合、読取方向が前後、表裏の区別無く読取れるようにした請求項２記載の非接触ＩＣカード製品。
【請求項４】
表裏に同一の絵柄を印刷することにより、表裏を意識せずに取り扱えるようにした請求項１乃至３記載の非接触ＩＣカード製品。
【請求項５】
印刷するバーコードの種類毎に全体のデザインまたは色合いを変え、バーコードの内容がデザインで区別できるようにした請求項２乃至４記載の非接触ＩＣカード製品。
【請求項６】
非接触ＩＣの特定エリアに記憶された製品種別を示す情報の内容によりカードデザインを変え、カードデザインによりカード製品の種別が判別できるようにした請求項１乃至５記載の非接触ＩＣカード製品。
【発明の詳細な説明】
【技術分野】
【０００１】
本発明は、パチンコ、スロットマシンなどの遊技場において、賞球数に応じて提供される景品としての非接触ＩＣを搭載した非接触ＩＣカード製品に関し、特に偽造、改造が行なわれた場合にその偽造、改造を容易に判別可能な非接触ＩＣカード製品に関する。
【背景技術】
【０００２】
従来、パチンコ、スロットマシンなどの遊技場において、賞球数に応じて提供される景品としてカード型景品が使用されている。この種のカード型景品として、特開２００２−３２０７６１号公報に開示されているように、貴金属とＩＣタグプレートを１つのケースに収容した構造のものがある。この種のカード型景品においては、金、銀、プラチナなどの貴金属である景品本体と、これらの価値情報を機械的読取り可能に記憶するＩＣタグプレートとは、それぞれ別体として構成された状態で１つのケースに収容されている。
【０００３】
ここで例えば、収容する景品を金とした場合、金の質量によりいくつかの景品を用意し、質量に応じて景品価値を設定し、その内容をＩＣタグプレートに情報として記憶させておく。パチンコやスロットマシンなどの遊技場で遊技した結果、賞球を獲得した場合、賞球数に応じて、景品と交換することができる。
【０００４】
交換した景品は、遊技場の外にある特定の景品取扱所に持ち込むと、現金と交換することができる。この場合、景品取扱所では景品のＩＣタグプレートに記憶されている情報を機械的に読み取り、景品の価値を特定して相当の現金と交換することになる。
【特許文献１】特開２００２−３２０７６１号公報
【発明の開示】
【発明が解決しようとする課題】
【０００５】
しかしながら上記従来文献に開示されるカード型景品においては、貴金属等の景品本体と、これらの価値情報を記憶するＩＣタグプレートとはそれぞれ別々にケースに収容される構成となっているので、蓋を下ケースから取り外して貴金属を取り出すことが可能である。したがってＩＣタグプレートをそのままにして貴金属のみを入れ替えるという偽造の可能性を有している。
【０００６】
例えば、もともとは高価な価値を持つ景品において、蓋を取り外し、ＩＣタグプレートはそのままにして、高価な貴金属を低価の貴金属と入れ替えた場合、ＩＣタグプレートの情報は高価で、貴金属は低価なものとなる。
【０００７】
このような景品を景品取扱所に持ち込んだ場合、景品取扱所ではＩＣタグプレートから読取った情報、即ち、高価値情報に基づいて現金と交換することになり、収容されている貴金属と交換現金との不一致が発生し、景品取扱所に損失が発生するという問題となる。
【０００８】
景品取扱所には景品のＩＣタグプレートに記憶されている情報を読取るためのタグリーダライタを具備した景品交換機が設置されている。上記問題は、景品交換機に貴金属の材質を検出するための検出装置を設けることにより、ある程度は防止できるが、装置が高価になるという欠点がある。
【課題を解決するための手段】
【０００９】
上記課題を解決するために、本発明は、非接触ＩＣを利用した非接触ＩＣカード製品において、カードに貴金属等を実装し、該貴金属等が正常に実装されている場合に非接触ＩＣの通信機能が正常に動作し、該貴金属等を強制的に取り外した場合、非接触ＩＣの回路の一部が破壊され、通信機能を不能にする構造としたことを特徴とするものである。
【発明の効果】
【００１０】
上記構成の本発明によれば、非接触ＩＣカード製品に実装された貴金属等を取り出そうとした場合、非接触ＩＣの回路の一部が不可避的に破壊されるので、通信機能が不能となり、偽造品または改造品と判定可能になる。
【発明を実施するための最良の形態】
【００１１】
以下、本発明を実施するための形態を図面に従って説明する。図１は本発明の実施の形態の非接触ＩＣカード製品としてのカード型景品を示す平面図、図２はカード型景品を示す分解斜視図である。本実施の形態では、非接触ＩＣカード製品としてカード型景品を用いて説明する。
【００１２】
図１、図２において、カード型景品１は、表面印刷層２、基材層３、プリント回路層４および裏面印刷層５とから構成される。基材層３には凹部６が形成され、この凹部６に貴金属７が装着される。基材層３は横幅８６ｍｍ、縦幅５６ｍｍ、厚さ０．５６ｍｍのカード型に形成されている。凹部６は深さ０．３ｍｍで直径１６ｍｍに形成され、厚さ０．３ｍｍ、直径１６ｍｍの貴金属７が嵌り込むようになっている。凹部６は基材層３の下側（プリント回路層４側）に形成され、凹部６に嵌り込まれる貴金属７はプリント回路層４に対向する。
【００１３】
プリント回路層４には、ＩＣチップ８とアンテナ９とから成る非接触ＩＣ回路１０が形成されている。アンテナ９はループ状に形成されており、その一部９ａが貴金属７の位置と厚さ方向に重なるように配置されている。
【００１４】
図３は実施の形態のカード型景品２に示す断面図である。なお図３では見易くするために各要素の厚さを誇張して示してある。図３に示すように、表面印刷層２と基材層３は強接着剤１１ａにより接着され、基材層３とプリント回路層４も強接着剤１１ｂにより接着され、プリント回路層４と裏面印刷層５も強接着剤１１ｃにより接着されている。基材層３とプリント回路層４との間の強接着剤１１ｂは、ＩＣチップ８およびアンテナ９のプリント回路層４からの出っ張りを吸収できる厚さを有し、ＩＣチップ８またはアンテナ９が直接基材層３に接触しないようにしてある。
【００１５】
基材層３と強接着剤１１ｂとの間の接着強度は、ＩＣチップ８およびアンテナ９とプリント回路層４との間の接着強度より大きく、また強接着剤１１ｂとＩＣチップ８およびアンテナ９との間の接着強度は、ＩＣチップ８およびアンテナ９とプリント回路層４との間の接着強度より大きくなっている。
【００１６】
したがって、貴金属７を取り出すために、カード型景品１の基材層３とプリント回路層４との間を引き剥がそうとした場合、図４、図５に示すように、ＩＣチップ８およびアンテナ９は強接着剤１１ｂにくっついた状態でプリント回路層４から引き剥がされる。なお図４はカード型景品を引き剥がした状態を示す断面図、図５はカード型景品を引き剥がした状態を示す斜視図である。
【００１７】
この状態からさらに貴金属７を取り出そうとすると、少なくとも貴金属７に対向する強接着剤１１ｂの部分１１ｂａ（図５に示す）を除去しなければならない。この部分１１ｂａにはＩＣチップ８およびアンテナ９の一部９ａが配置されており、この部分１１ｂａを除去すると、少なくともアンテナ９の一部９ａが破壊されることになる。
【００１８】
アンテナ９の一部９ａが破壊されることにより、ＩＣチップ８は外部との通信が不能になる。アンテナ９が破壊されたカード型景品１を使用して、景品取扱所で現金に交換しようとした場合、景品交換機で景品情報を読取り不能になり、カード型景品１は返却され、交換不可となる。
【００１９】
以上のように本実施の形態によれば、貴金属を実装した非接触ＩＣカード型景品１において、貴金属のみを取り出して別の物と交換しようとする場合、貴金属を取り出そうとするときに非接触ＩＣ回路を構成するアンテナ９を破壊することになり、外部との通信が不可能になる。したがって、景品取扱所で非接触ＩＣカード型景品を現金と交換しようとする場合、非接触ＩＣカード型景品から景品情報を読取ることができないことで、異常景品と判定し、偽造品または変造品の疑いがあるものとして処理することが可能である。
【００２０】
本実施の形態においては、カード型景品１の表面印刷層２の表面２ａおよび裏面印刷層５の裏面５ａには、イラストや写真などから成る絵柄が印刷されている。絵柄はカード型景品１の種類により異なり、表裏に同じ図柄が印刷される。したがって利用者は、絵柄を見ればカード型景品１の種類が識別でき、また表裏に同じ図柄が印刷されているので、どちら側を見ても識別可能である。
【００２１】
またカード型景品１の種類により、即ち、ＩＣチップ７に記憶されたカード型景品１の種別を示す情報の内容により、カードデザインを変え、カードデザインによりカード製品の種別が判別できるようにしてもよい。
【００２２】
上記実施の形態ではカード型景品１の構造を、表面印刷層２、基材層３、プリント回路層４および裏面印刷層５の４層構造としたが、表裏印刷面２、５を保護するためまたは撥水性をよくするために、フィルム層またはコーティング層を表裏印刷面２、５の少なくとも片面に設け、６層乃至８層構造としてもよい。または、表裏印刷面２、５を設けないで、基材層３やプリント回路層４に絵柄を印刷するようにしてもよい。さらに、基材層３の構造として、単層でもあるいは複数の薄い基材を接着層で貼り合わせた多層構造としてもよい。
【００２３】
また貴金属７としては、金属やプラスチックなどで一定の価値を持つ製品であれば貴金属に限られない。
【００２４】
ところで、非接触ＩＣカード型景品の種別情報は非接触ＩＣリーダライタで機械的に読取られるが、非接触ＩＣリーダライタは電磁波を利用して通信を行うので、周囲が金属に囲まれた環境では通信が不安定になり、読み取りができない場合がある。さらに非接触ＩＣリーダライタのコストが高く、装置或いはシステムのコスト高の要因となる場合がある。そこで本発明の他の実施の形態では、非接触カード型景品に貴金属の種類を示すバーコードを設けるようにした。
【００２５】
図６は他の実施の形態のカード型景品を示す平面図である。図６において、カード型景品２１の表面印刷層２の表面中央部にバーコード２２が印刷されている。バーコード２２は内部に終了された貴金属７の種類を示すものである。その他の構成は前記実施の形態のものと同様である。
【００２６】
カード型景品２１は景品取扱所において現金と交換する際に、交換機に挿入され、交換機に備えられたバーコードリーダによりバーコード２２が読取られる。バーコード２２が読取られることにより、非接触ＩＣリーダライタでの読み取りを行うことなく、貴金属７の種類が判別される。
【００２７】
またバーコード２２は、パチンコやスロットマシン等の遊技場で賞球を非接触ＩＣカード型景品に交換する際の景品種別確認にも使用可能で、賞球と非接触ＩＣカード型景品の交換を機械化した景品自動払出機の電磁波伝搬による装置構造の制限をなくし、コスト低減に寄与することができる。
【００２８】
バーコード２２はカード型景品２１の表裏両面に印刷してもよいし、また印刷箇所は中央部に限られない。バーコード２２を表裏両面に印刷する場合、バーコードの印刷位置は、バーコードを機械で自動的に読取る際に、カードの読取方向が前後、表裏の区別無く読取ることができる位置とする。またバーコードとしては、一次元バーコードに限らず、二次元バーコードでもよいし、さらに印刷方法として、可視インクで印刷しても不可視インクで印刷してもどちらでもよい。また、印刷するバーコードの種類毎に全体のデザインまたは色合いを変え、バーコードの内容がデザインで区別できるようにしてもよい。
【図面の簡単な説明】
【００２９】
【図１】実施の形態の非接触ＩＣカード製品としてのカード型景品を示す平面図である。
【図２】カード型景品を示す分解斜視図である。
【図３】実施の形態のカード型景品２に示す断面図である。
【図４】カード型景品を引き剥がした状態を示す断面図である。
【図５】カード型景品を引き剥がした状態を示す斜視図である。
【図６】他の実施の形態のカード型景品を示す平面図である。
【符号の説明】
【００３０】
１  カード型景品
７  貴金属
９  アンテナ
１０  非接触ＩＣ回路
２２  バーコード
【図１】
2006209226.tif 000003
【図２】
2006209226.tif 000004
【図３】
2006209226.tif 000005
【図４】
2006209226.tif 000006
【図５】
2006209226.tif 000007
【図６】
2006209226.tif 000008